(57)【特許請求の範囲】
【請求項１】
インクを吐出するヘッドを具備したキャリッジを有し、該キャリッジの移動中に前記ヘッドを駆動することにより媒体へ向けてインクを吐出して前記媒体に画像を印刷する印刷装置であって、
前記キャリッジに設けられて、一対の入力端子を備え、電力により前記ヘッドを駆動する駆動制御部と、
絶縁部と、前記電力を供給する第１導電部と、電気的に接地された第２導電部とを含み、前記キャリッジの移動を案内するガイド部材と、を有し、
前記一対の入力端子の一方が前記第１導電部に摺接されるとともに、他方が前記第２導電部に摺接されることにより、前記駆動制御部に前記電力が供給され、
前記絶縁部は、それぞれがその軸方向に延在する二カ所の切り欠き部を有する略円柱状の軸体で、前記二カ所の切り欠き部の一方に前記第１導電部が延在配置され、他方に前記第２導電部が延在配置されていることを特徴とする印刷装置。
【請求項２】
インクを吐出するヘッドを具備したキャリッジを有し、該キャリッジの移動中に前記ヘッドを駆動することにより媒体へ向けてインクを吐出して前記媒体に画像を印刷する印刷装置であって、
前記キャリッジに設けられて、一対の入力端子を備え、電力により前記ヘッドを駆動する駆動制御部と、
絶縁部と、前記電力を供給する第１導電部と、電気的に接地された第２導電部とを含み、前記キャリッジの移動を案内するガイド部材と、を有し、
前記一対の入力端子の一方が前記第１導電部に摺接されるとともに、他方が前記第２導電部に摺接されることにより、前記駆動制御部に前記電力が供給され、
前記第１導電部は、その軸方向に延在する切り欠き部を有する略円柱状の軸体で、前記切り欠き部に覆われるように前記絶縁部が延在配置され、前記絶縁部に覆われるように前記第２導電部が延在配置されていることを特徴とする印刷装置。
【発明の詳細な説明】
【技術分野】
【０００１】
本発明は、印刷装置に関する。
【背景技術】
【０００２】
従来、印刷装置としてインクジェットプリンターが知られている。このプリンターは、
インクを吐出するヘッドを保持したキャリッジを有し、該キャリッジの移動中に前記ヘッ
ドを駆動することによりノズルからインクを吐出して、用紙等の媒体に画像を印刷する。
【０００３】
このようなプリンターには、ヘッドを駆動する駆動制御部がキャリッジに搭載されてい
るものがある。そして、その場合には、プリンター本体から駆動制御部へと印刷信号等を
伝送すべく、プリンター本体とキャリッジとは、屈曲性の高いフレキシブルフラットケー
ブル（以下、ＦＦＣとも言う）で連結されている。また、このＦＦＣにおける別の電線を
用いて、プリンター本体側の電源ユニットから駆動制御部への電力供給も行われる。
【０００４】
しかし、キャリッジの移動の際に、ＦＦＣは機構上の物理的障害となり易いことや、Ｆ
ＦＣを通じて印刷信号等の制御信号にノイズが乗り易い等の問題があることから、ＦＦＣ
省略の要望がある。
【０００５】
この点につき、特許文献１には、印刷信号などの制御信号をプリンター本体からキャリ
ッジへと光伝送することが開示されている。また、特許文献２には、キャリッジに燃料電
池を搭載して、キャリッジの駆動制御部に電力供給することが開示されている。そして、
これらを組み合わせることにより、ＦＦＣを無くすことが可能と考えられる。
【先行技術文献】
【特許文献】
【０００６】
【特許文献１】特開平７−２１４８６９号
【特許文献２】特開２００５−２１９２８８号
【発明の概要】
【発明が解決しようとする課題】
【０００７】
しかしながら、後者の特許文献２の電力供給方法では、燃料電池の搭載に伴いコストア
ップは必至である。また、燃料電池は発電後に水を生じるために排水機構が必要であり、
これもコストアップを助長する。
【０００８】
本発明は、上記のような従来の問題に鑑みてなされたものであって、ＦＦＣを用いずに
キャリッジの駆動制御部へと電力供給可能で、しかもコストアップを回避し得る印刷装置
を提供することを目的とする。
【課題を解決するための手段】
【０００９】
上記目的を達成するための主たる発明は、
インクを吐出するヘッドを具備したキャリッジを有し、該キャリッジの移動中に前記ヘ
ッドを駆動することにより媒体へ向けてインクを吐出して前記媒体に画像を印刷する印刷
装置であって、
前記キャリッジに設けられて、電力により前記ヘッドを駆動する駆動制御部と、
前記キャリッジの移動を案内するガイド部材と、を有し、
前記ガイド部材には導電部が設けられており、該導電部を介して前記駆動制御部に前記
電力を供給することを特徴とする印刷装置である。
【００１０】
本発明の他の特徴については、本明細書及び添付図面の記載により明らかにする。
【図面の簡単な説明】
【００１１】
【図１】プリンター１のシステム構成のブロック図である。
【図２】プリンター１の内部構成の斜視図である。
【図３】同縦断面図である。
【図４】ヘッド４１のノズルの配列図である。
【図５】ヘッドユニット４０に係るヘッド駆動回路６１の説明図である。
【図６】同説明図である。
【図７】原信号ＯＤＲＶ、印刷信号ＰＲＴ（ｉ）、及び駆動信号ＤＲＶ（ｉ）の説明図である。
【図８】ガイドレール３６の縦断面図である。
【図９】図９Ａ乃至図９Ｃは、ガイドレール３６の第１変形例乃至第３変形例の説明図であり、いずれも縦断面視で示している。
【発明を実施するための形態】
【００１２】
本明細書及び添付図面の記載により、少なくとも以下の事項が明らかとなる。
【００１３】
インクを吐出するヘッドを具備したキャリッジを有し、該キャリッジの移動中に前記ヘ
ッドを駆動することにより媒体へ向けてインクを吐出して前記媒体に画像を印刷する印刷
装置であって、
前記キャリッジに設けられて、電力により前記ヘッドを駆動する駆動制御部と、
前記キャリッジの移動を案内するガイド部材と、を有し、
前記ガイド部材には導電部が設けられており、該導電部を介して前記駆動制御部に前記
電力を供給することを特徴とする印刷装置。  
このような印刷装置によれば、ガイド部材を介してキャリッジの駆動制御部は電力供給
される。よって、ＦＦＣや燃料電池等を用いること無く前記駆動制御部へ電力供給可能で
あり、結果、コストアップを回避可能となる。
【００１４】
かかる印刷装置であって、
前記ガイド部材は、電力を供給する第１導電部と、電気的に接地された第２導電部と、
を有し、
前記駆動制御部は、電力供給に係る一対の入力端子を有し、
前記一対の入力端子のうちの一方の入力端子が、前記第１導電部に摺接されるとともに
、もう一方の入力端子が前記第２導電部に摺接されることにより、前記駆動制御部に前記
電力が供給されるのが望ましい。  
このような印刷装置によれば、駆動制御部の前記一対の入力端子は、それぞれ、第１導
電部及び第２導電部に摺接している。よって、ガイド部材に対してキャリッジが移動する
際も問題無く駆動制御部へ給電可能となる。
【００１５】
かかる印刷装置であって、
前記ガイド部材は、前記第１導電部と前記第２導電部とが、それらの間の絶縁部を介し
て一体化された軸部材を有し、
前記軸部材は、前記キャリッジの移動方向に延在して配置されているのが望ましい。  
このような印刷装置によれば、前記ガイド部材は一部材として構成されるので、設置ス
ペースの低減を図れ、印刷装置をコンパクトにできる。
【００１６】
かかる印刷装置であって、
前記ガイド部材は、前記キャリッジの移動方向に延在しつつ互いに離間して配置された
一対の軸部材を有し、
前記一対の軸部材のうちの一方が前記第１導電部を有し、もう一方が前記第２導電部を
有するのが望ましい。  
このような印刷装置によれば、キャリッジの移動は、前記一対の軸部によって案内され
るので、当該移動動作の安定化を図れる。
【００１７】
＝＝＝印刷装置１の全体構成＝＝＝
以下、本実施形態に係る印刷装置１として、シリアル式のインクジェットプリンター（
以下、プリンター１と言う）を例に説明する。
【００１８】
図１はプリンター１のシステム構成のブロック図である。図２Ａはプリンター１の内部
構成の斜視図であり、図３は同縦断面図である。  
プリンター１は、筐体３と、電源ユニット５と、コントローラー１０と、搬送ユニット
２０と、キャリッジユニット３０と、ヘッドユニット４０と、を有する。そして、プリン
ター１は、例えば、外部装置であるコンピューター１１０に接続して使用される。すなわ
ち、コンピューター１１０から印刷データを受信すると、プリンター１は、コントローラ
ー１０によって各ユニット２０，３０，４０を制御し、媒体としての用紙Ｓに画像を形成
する。その際、プリンター１内の状況は検出器群５０により監視され、その検出結果に基
づきコントローラー１０は各ユニット２０，３０，４０を制御する。
【００１９】
筐体３は、各ユニット２０，３０，４０を収容する箱体を本体とし、例えばその内側に
、金属等の導電性素材からなるメカフレーム３ａを有する。
【００２０】
電源ユニット５は、筐体３に固設されている。そして、電気コード等を介して家庭用Ａ
Ｃコンセント等に接続され、これにより４２Ｖ等のＤＣ電源として機能して各ユニット２
０，３０，４０に電力供給する。すなわち、電源ユニット５は、電力供給用の出力端子と
しての４２Ｖの正極端子と、前記メカフレームを介して電気的に接地されたグランド端子
と、を有する。
【００２１】
コントローラー１０も、筐体３に固設されている。そして、インターフェース部１１と
、ＣＰＵ１２と、メモリー１３と、ユニット制御回路１４と、を有する。インターフェー
ス部１１は、コンピューター１１０とプリンター１との間でデータの送受信を行う。ＣＰ
Ｕ１２は、プリンター１全体の制御を行う演算処理装置であり、ユニット制御回路１４を
介して各ユニット２０，３０，４０を制御する。メモリー１３は、ＣＰＵ１２のプログラ
ムを格納する領域や作業領域等を確保する。
【００２２】
搬送ユニット２０は、用紙Ｓを印刷可能な位置に送り込むとともに、印刷時に搬送方向
に所定の搬送量で用紙Ｓを搬送するものであり、給紙ローラー２１と、搬送モーター２２
と、搬送ローラー２３と、プラテン２４と、排紙ローラー２５と、を有する。給紙ローラ
ー２１は、印刷すべき用紙Ｓを搬送ローラー２３の位置まで送る。そして、搬送ローラー
２３の方へ送られた用紙Ｓの先端を、検出器群５０の一つである紙検出センサー５１が検
出すると、コントローラー１０は搬送ローラー２３を回転させ、用紙Ｓを印刷開始位置に
位置決めする。用紙Ｓが印刷開始位置に位置決めされたとき、ヘッド４１の下面４１ａの
少なくとも一部のノズルは、用紙Ｓと対向している。プラテン２４は、ヘッド４１の下面
４１ａと対向可能な位置に設けられ、印刷中の用紙Ｓを下方から支持する。
【００２３】
キャリッジユニット３０は、ヘッド４１を搬送方向と交差する交差方向（以下、キャリ
ッジ移動方向という）に往復移動するものであり、ヘッド４１を搭載するキャリッジ３２
と、筐体３に支持されたガイド部材としてのガイドレール３６と、キャリッジモーター３
３と、プーリー３４ａ，３４ｂと、タイミングベルト３５と、を有する。ガイドレール３
６は、例えば、キャリッジ移動方向に長い軸体であり、キャリッジ３２に貫通係合して同
キャリッジ３２をキャリッジ移動方向に沿って往復移動可能に案内する。タイミングベル
ト３５は、プーリー３４ａ，３４ｂによってキャリッジモーター３３に接続されるととも
に、その一部がキャリッジ３２に接続されており、そして、キャリッジモーター３３の駆
動回転により、キャリッジ３２を前記キャリッジ移動方向に往復移動させる。これにより
、ヘッド４１は、用紙Ｓに対してキャリッジ移動方向に往復移動される。
【００２４】
なお、前記ガイドレール３６は、キャリッジ３２に搭載された後述のヘッド駆動回路６
１へ給電するための給電系統としても機能し、これについては後述する。
【００２５】
ヘッドユニット４０は、キャリッジ３２に搭載されている。そして、用紙Ｓにインク滴
を吐出するためのヘッド４１と、ヘッド４１のノズルからインク滴を吐出すべくヘッド４
１を駆動するヘッド駆動回路６１と、を有する（図５を参照）。ヘッド４１の下面４１ａ
には、ノズルが複数設けられ、各ノズルには、インクが入ったインク室と、インク室の容
量を変化させてインク滴を吐出するための駆動素子としてピエゾ素子とが設けられている
。そして、ヘッド駆動回路６１が、後述の印刷信号ＰＲＴ等に基づいてピエゾ素子を駆動
することにより、インク滴が吐出される。
【００２６】
なお、この印刷信号ＰＲＴや後述の原信号生成用パラメータ等の如きヘッド４１を駆動
するための制御信号は、適宜な無線通信装置によって、前記コントローラー１０から、キ
ャリッジ３２の前記ヘッド駆動回路６１へと無線送信される。すなわち、コントローラー
１０には送信機が設けられ、キャリッジ３２には受信機が設けられている。そして、コン
トローラー１０の送信機から送信される電波をキャリッジ３２の受信機が受信することに
より、ヘッド駆動回路６１は、前記制御信号を取得する。
【００２７】
検出器群５０には、リニア式エンコーダー５２やロータリー式エンコーダー５３等が含
まれる。リニア式エンコーダー５２は、キャリッジ３２の位置を検出する。ロータリー式
エンコーダー５３は、搬送ローラー２３の回転量を検出する。
【００２８】
このような構成のプリンター１では、キャリッジ移動方向に沿って移動するヘッド４１
からインク滴を断続的に吐出させ、用紙Ｓ上にドットを形成するドット形成動作と、用紙
Ｓを搬送方向に搬送する搬送動作と、を交互に繰り返す。そうすることで、先のドット形
成動作により形成されたドット列（ラスタライン）とは搬送方向の異なる位置にドット列
が形成され、これにより用紙Ｓ上に画像が完成する。
【００２９】
なお、このプリンター１は双方向印刷を行うこともでき、つまり、キャリッジ移動方向
の往路及び復路において用紙Ｓに向けてインク滴を吐出して画像を形成することも可能で
ある。その場合には、例えば、往路と復路とのドット形成動作の間に、用紙Ｓの搬送動作
が行われる。
【００３０】
＝＝＝ヘッド４１及びヘッド駆動回路６１について＝＝＝
図４は、ヘッド４１のノズルの配列図である。ヘッド４１の下面４１ａには、ブラック
（Ｋ）、シアン（Ｃ）、マゼンタ（Ｍ）、イエロ（Ｙ）の色毎にそれぞれ複数（例えば１
８０ヶ）のノズル♯１〜♯ｎからなるノズル列４１１が設けられている。各ノズル列４１
１の各ノズル♯１〜♯ｎは、用紙Ｓの搬送方向に沿って所定のノズルピッチＰ（例えば１
８０ｄｐｉ）で直線状に整列されている。また、各ノズル列４１１は、相互にキャリッジ
移動方向に間隔を隔てて平行に配置されている。
【００３１】
図５は、ヘッドユニット４０に係るヘッド駆動回路６１の説明図である。このヘッド駆
動回路６１（駆動制御部に相当）の回路基板６１ａはキャリッジ３２内に配置されており
、同図に示すように、原駆動信号発生部６３と、駆動信号整形部６５とを備えている。な
お、どちらも電気回路で構成されている。
【００３２】
ヘッド駆動回路６１は、ノズル列４１１ごと、即ち、ブラック（Ｋ）、シアン（Ｃ）、
マゼンタ（Ｍ）およびイエロ（Ｙ）の各色のノズル列４１１ごとに各々設けられている。
また、ノズルごとに個別にピエゾ素子の駆動が行われるようになっている。図中に各信号
名の最後に付されたかっこ内の数字は、その信号が供給されるノズルの番号を示している
。
【００３３】
ピエゾ素子は、その両端に設けられた電極間に所定時間幅の電圧を印加すると、電圧の
印加時間に応じて伸張し、インクの流路の側壁を変形させる。これによって、インクの流
路の体積がピエゾ素子の伸縮に応じて収縮し、この収縮分に相当するインク量が、インク
滴となって各色の各ノズル♯１〜♯１８０から吐出される。
【００３４】
図６に示すように、原駆動信号発生部６３には、原信号ＯＤＲＶの波形形状等を規定す
る原信号生成用パラメータが入力され、この原信号生成用パラメータに基づいて、原駆動
信号発生部６３は、各ノズル＃１〜＃ｎに共通して用いられる原信号ＯＤＲＶを生成する
。ここでは、この原信号ＯＤＲＶは、一画素分の期間内（キャリッジ３２が一画素の間隔
を横切る時間内）において、図７に示すように、第１パルスＷ１と第２パルスＷ２の２つ
のパルスを含む信号である。
【００３５】
他方、駆動信号整形部６５には、図６に示すように、上記の原駆動信号発生部６３から
原信号ＯＤＲＶが入力されるとともに、印刷データに基づいて印刷信号ＰＲＴが入力され
る。印刷信号ＰＲＴは、一画素に対して割り当てられている画素データに対応した信号で
ある。つまり、印刷信号ＰＲＴは、印刷データに含まれる画素データに応じた信号である
。そして、駆動信号整形部６５では、各ノズル（ｉ）に対応する印刷信号ＰＲＴ（ｉ）に
基づいて、ノズル（ｉ）毎に原信号ＯＤＲＶを遮断したり通過させたりする。例えば、図
７に示すように、印刷信号ＰＲＴ（ｉ）が２ビット信号で『００』の場合には、原信号Ｏ
ＤＲＶの両パルスＷ１,Ｗ２を遮断し、印刷信号ＰＲＴ（ｉ）が同『０１』の場合には、
パルスＷ１のみを遮断してパルスＷ２は通過させ、印刷信号ＰＲＴ（ｉ）が同『１０』の
場合には、パルスＷ２のみを遮断してパルスＷ１は通過させ、印刷信号ＰＲＴ（ｉ）が同
『１１』の場合には、両パルスＷ１，Ｗ２を通過させる。そして、通過させたパルスを駆
動信号ＤＲＶ（ｉ）として、各ノズル（ｉ）のピエゾ素子に向けて出力する。各ノズル（
ｉ）のピエゾ素子は、駆動信号整形部６５からの駆動信号ＤＲＶ（ｉ）に基づいて駆動し
てインク滴の吐出を行う。
【００３６】
＝＝＝ヘッド駆動回路６１への給電について＝＝＝
上述のヘッド駆動回路６１は基本的に電気回路で構成されており、電力により作動する
。また、ヘッド駆動回路６１の回路基板６１ａはキャリッジ３２に設けられている。その
ため、通常は、筐体３側の電源ユニット５とキャリッジ３２側の前記回路基板６１ａとを
フレキシブルフラットケーブル（ＦＦＣ）によって接続することにより、前記回路基板６
１ａに給電している。
【００３７】
しかしながら、前述したようにＦＦＣレス化の要望がある。また、本実施形態にあって
は、上述したようにヘッド駆動回路６１への制御信号の送信は無線送信でなされ、つまり
当該制御信号の送信についてはＦＦＣを用いていない。よって、ヘッド駆動回路６１への
給電をＦＦＣ以外の方法で行えるようにすれば、ＦＦＣレス化を達成可能である。
【００３８】
そこで、本実施形態では、前述したガイドレール３６を、ヘッド駆動回路６１への給電
系統としても使用している。以下、詳細に説明する。
【００３９】
図３に示すように、ガイドレール３６は、筐体３のメカフレーム３ａに両端支持されて
いる。一方、キャリッジ３２の両端部には、軸受けとして一対のスリーブ部材３９，３９
が設けられており、これらスリーブ部材３９の内周側にガイドレール３６が挿通されて摺
動可能に嵌合している。そして、これにより、キャリッジ３２はガイドレール３６に支持
されつつキャリッジ移動方向に往復移動可能に構成されている。
【００４０】
図８は、ガイドレール３６の縦断面図である。ガイドレール３６は、縦断面略円形状の
軸体でなる絶縁体３７を本体とする。そして、この絶縁体３７（絶縁部に相当）は、その
周方向の二カ所が、ガイドレール３６の軸方向に亘って切り欠かれており、これら切り欠
き部３７ａ，３７ａには、それぞれ、金属等の導電性素材からなる導電部３８ａ，３８ｂ
が前記軸方向に亘って延在配置されている。また、これら導電部３８ａ，３８ｂのうちの
一方の導電部３８ａ（以下、第１導電部３８ａとも言う）は、適宜な電線等によって電源
ユニット５の前記正極に電気的に接続されており、もう一方の導電部３８ｂ（以下、第２
導電部３８ｂとも言う）は、筐体３のメカフレーム３ａに電気的に接続されて接地されて
いる。
【００４１】
他方、キャリッジ３２のヘッド駆動回路６１の回路基板６１ａからは、各導電部３８ａ
，３８ｂの位置にまで、ヘッド駆動回路６１の給電に係る一対の入力端子６２Ｐ，６２Ｇ
が延長配置されている。そして、一方の入力端子たる電力供給用端子６２Ｐは、第１導電
部３８ａに摺動可能に接触した導電性ブラシ部材に電気的に接続されており、もう一方の
入力端子たるグランド端子６２Ｇも、第２導電部３８ｂに摺動可能に接触した導電性ブラ
シ部材に電気的に接続されており、これにより、ヘッド駆動回路６１は、電源ユニット５
から給電されるようになっている。
【００４２】
ちなみに、必要に応じて、図５の例のようにＤＣ−ＤＣコンバーター６７を設け、これ
により、電源ユニット５の電圧を、ヘッド駆動回路６１が必要とする適宜な電圧（図示例
では３．３Ｖ）に変圧して給電しても良い。
【００４３】
図９Ａ乃至図９Ｃは、ガイドレール３６の第１変形例乃至第３変形例の説明図であり、
いずれも縦断面視で示している。
【００４４】
図９Ａに示す第１変形例のガイドレール３６ａの形状は、全体として縦断面形状が略円
形をなした軸体３６ａである。この軸体３６ａは、その周方向に略２分割されており、一
方側の略半円柱部分１３６ａは第１導電部１３６ａであり、もう一方の略半円柱部分１３
６ｂは第２導電部１３６ｂである。そして、これら第１導電部１３６ａ及び第２導電部１
３６ｂは、それらの間に介装された絶縁体１３６ｃ（絶縁部に相当）にそれぞれ固定され
て一体化されている。
【００４５】
図９Ｂに示す第２変形例のガイドレール３６ｂの形状は、全体として縦断面形状が略か
まぼこ状をなした軸体３６ｂである。この軸体３６ｂは、第２導電部１３７ｂを上方から
絶縁体１３７ｃで覆い、更に絶縁体１３７ｃ（絶縁部に相当）を上方から第１導電部１３
７ａで覆って構成される。よって、ヘッド駆動回路６１の電力供給用端子６２Ｐは、上方
から第１導電部１３７ａに摺接され、同グランド端子６２Ｇは、下方から第２導電部１３
７ｂに摺接される。
【００４６】
図９Ｃに示す第３変形例のガイドレール３６ｃは、互いに離間して配置された一対の軸
部材１３８ａ，１３８ｂを有している。そして、これら一対の軸部材１３８ａ，１３８ｂ
のうちの一方が、第１導電部１３８ａとして機能し、もう一方が第２導電部１３８ｂとし
て機能する。なお、この構成の場合には、キャリッジ３２の前記スリーブ部材３９も各軸
部材１３８ａ，１３８ｂに対応させて一対設けられることになる。
【００４７】
＝＝＝その他の実施の形態＝＝＝
上記の実施形態は、本発明の理解を容易にするためのものであり、本発明を限定して解
釈するためのものではない。本発明は、その趣旨を逸脱することなく、変更、改良され得
ると共に、本発明にはその等価物が含まれることは言うまでもない。特に、以下に述べる
実施形態であっても、本発明に含まれるものである。
【００４８】
前述の実施形態では、印刷信号ＰＲＴ等の制御信号をコントローラー１０からキャリッ
ジ３２のヘッド駆動回路６１へと無線送信する方法として、電波による方法を用いたが、
無線送信可能であれば何等これに限るものではない。例えば、前記制御信号を光伝送して
も良い。すなわち、レーザー照射部をコントローラー１０側に設け、光電気変換部を、キ
ャリッジ３２側に設け、レーザー照射部から光電気変換部へと、前記制御信号をレーザー
光として伝送しても良い。なお、この場合には、レーザ照射部のレーザー光は、キャリッ
ジ移動方向と平行に照射される。これにより、キャリッジ３２の往復移動経路の全範囲に
亘って、レーザー照射部は光電気変換部にレーザー光を照射することができる。
【００４９】
前述の実施形態では、第１導電部３８ａに対するヘッド駆動回路６１の電力供給端子６
２Ｐの摺動接点を導電性ブラシ部材で構成し、同様に、第２導電部３８ｂに対するヘッド
駆動回路６１のグランド端子６２Ｇの摺動接点も導電性ブラシ部材で構成したが、何等こ
れに限るものではない。すなわち、第１導電部３８ａ又は第２導電部３８ｂに摺接して電
気的に接続可能であれば、これ以外の構成を適用しても良い。
【００５０】
前述の実施形態では、インクの吐出方式として、ピエゾ素子による圧電効果方式を例示
したが、何等これに限るものではなく、例えば、インクを加熱して当該インク中に生じる
気泡によりインクをノズルから吐出するサーマルジェット方式でも良い。
【符号の説明】
【００５１】
１  プリンター（印刷装置）、
３  筐体、３ａ  メカフレーム、
５  電源ユニット、
１０  コントローラー、１１  インターフェース部、
１３  メモリー、１４  ユニット制御回路、
２０  搬送ユニット、２１  給紙ローラー、２２  搬送モーター、２３  搬送ローラー、
２４  プラテン、２５  排紙ローラー、
３０  キャリッジユニット、３２  キャリッジ、
３３  キャリッジモーター、３３ｂ  駆動回転軸、
３４ａ  プーリー、３４ｂ  プーリー、３５  タイミングベルト、
３６  ガイドレール（ガイド部材）、３６ａ  ガイドレール（ガイド部材）、
３６ｂ  ガイドレール（ガイド部材）、３６ｃ  ガイドレール（ガイド部材）、
３７  絶縁体（絶縁部）、３７ａ  切り欠き部、
３８ａ  第１導電部、３８ｂ  第２導電部、３９  スリーブ部材、
４０  ヘッドユニット、４１  ヘッド、４１ａ  下面、
５０  検出器群、５１  紙検出センサー、
５２  リニア式エンコーダー、５３  ロータリー式エンコーダー、
６１  ヘッド駆動回路（駆動制御部）、６１ａ  回路基板、
６２Ｇ  グランド端子（入力端子）、６２Ｐ  電力供給用端子（入力端子）、
６３  原駆動信号発生部、６５  駆動信号整形部、６７  ＤＣ−ＤＣコンバーター、
１１０  コンピューター、
１３６ａ  第１導電部、１３６ｂ  第２導電部、１３６ｃ  絶縁体（絶縁部）、
１３７ａ  第１導電部、１３７ｂ  第２導電部、１３７ｃ  絶縁体（絶縁部）、
１３８ａ  第１導電部、１３８ｂ  第２導電部、
４１１  ノズル列、
Ｓ  用紙
【図１】
0005560619.tif 000002
【図２】
0005560619.tif 000003
【図３】
0005560619.tif 000004
【図４】
0005560619.tif 000005
【図５】
0005560619.tif 000006
【図６】
0005560619.tif 000007
【図７】
0005560619.tif 000008
【図８】
0005560619.tif 000009
【図９】
0005560619.tif 000010